(57)【要約】【課題】装置が幾つかの主電圧基準に接続される場合に生じる問題を解決する、陰極線管を有するディスプレイ装置、この種のディスプレイ装置に対する消磁回路および陰極線管を消磁するプロセスを提供すること。【解決手段】陰極線管と、電圧が供給される消磁回路を有するディスプレイ装置であって、消磁回路は少なくともＰＴＣ抵抗と、少なくとも消磁コイルを有している形式のものにおいて、消磁回路のインピーダンスを前記電圧に基づいて選択する手段を有しているディスプレイ装置と、消磁回路のインピーダンスを電圧に基づいて変化させる手段を有している、陰極線管を有するディスプレイ装置に対する消磁回路と、電圧をセンシングするステップ；前記電圧に基づいて消磁回路のインピーダンスを選択するステップ；消磁回路に前記電圧を供給するステップを有している、消磁回路によって陰極線管を消磁するプロセス。【選択図】図１
2004343690.tif 000002
【特許請求の範囲】
【請求項１】
陰極線管と、電圧が供給される消磁回路を有するディスプレイ装置であって、
前記消磁回路は少なくともＰＴＣ抵抗（Ｒ１, Ｒ２；Ｒ）と、
少なくとも消磁コイル（ＤＧＣ；ＤＧＣ１, ＤＧＣ２）を有している形式のものにおいて、
前記消磁回路のインピーダンスを前記電圧に基づいて選択する手段を有している、
ことを特徴とするディスプレイ装置。
【請求項２】
前記電圧を測定するための電圧センサ回路（２；１２）と、当該電圧センサ回路によってコントロールされる少なくとも１つのスイッチ（６；１５, １７）含む、請求項１記載のディスプレイ装置。
【請求項３】
前記スイッチは選択的に、消磁回路内の第１のＰＴＣ抵抗（Ｒ１）または第２のＰＴＣ抵抗（Ｒ２）と接続される、請求項２記載のディスプレイ装置。
【請求項４】
前記消磁回路は、第１の消磁コイル（ＤＧＣ１）および第２の消磁コイル（ＤＧＣ２）を含み、
当該第１の消磁コイル（ＤＧＣ１）および第２の消磁コイル（ＤＧＣ２）は、選択的に直列または並列に接続される、請求項２記載のディスプレイ装置。
【請求項５】
請求項１に記載されたディスプレイ装置をコントロールするプロセスであって、当該プロセスは以下の連続するステップ、すなわち：
・前記電圧をセンシングする（ｔ１）；
・前記電圧に基づいて前記インピーダンスを選択する（ｔ２）；
・前記消磁回路を作動させる（ｔ３）
を有している、
ことを特徴とする、ディスプレイ装置をコントロールするプロセス。
【請求項６】
陰極線管を有するディスプレイ装置に対する消磁回路であって、
当該消磁回路には電圧が供給され、前記消磁回路は、
少なくともＰＴＣ抵抗（Ｒ１, Ｒ２；Ｒ）と、
少なくとも消磁コイル（ＤＧＣ；ＤＧＣ１, ＤＧＣ２）を有している形式のものにおいて、
前記消磁回路のインピーダンスを前記電圧に基づいて変化させる手段を有している、
ことを特徴とする消磁回路。
【請求項７】
前記電圧を測定するための電圧センサ回路（２；１２）と、当該電圧センサ回路によってコントロールされる少なくとも１つのスイッチ（６；１５, １７）含む、請求項６記載の消磁回路。
【請求項８】
前記スイッチは選択的に、回路内の第１のＰＴＣ抵抗（Ｒ１）または第２のＰＴＣ抵抗（Ｒ２）と接続される、請求項７記載の消磁回路。
【請求項９】
第１の消磁コイル（ＤＧＣ１）および第２の消磁コイル（ＤＧＣ２）を含み、
当該第１の消磁コイル（ＤＧＣ１）および第２の消磁コイル（ＤＧＣ２）は、選択的に直列または並列に接続される、請求項７記載の消磁回路。
【請求項１０】
電圧が供給される消磁回路によって陰極線管を消磁するプロセスであって、当該プロセスは以下の連続するステップ、すなわち：
・前記電圧をセンシングする（ｔ１）；
・前記電圧に基づいて前記消磁回路のインピーダンスを選択する（ｔ２）；
・前記消磁回路に前記電圧を供給する（ｔ３）
を有している、
ことを特徴とする、陰極線管を消磁するプロセス。
【発明の詳細な説明】
【技術分野】
【０００１】
本発明は、陰極線管を有するディスプレイ装置、この種のディスプレイ装置に対する消磁回路および陰極線管を消磁するプロセスに関する。
【背景技術】
【０００２】
陰極線管を用いたディスプレイ装置には一般的に、残存している磁場を金属部分から除去するために消磁回路が設けられている。一般的に消磁回路は、ディスプレイ装置がスイッチオンされたとき、またはユーザからの指令で作動する。
【０００３】
消磁作動の作動パラメータ（強度、パルスの疑似周期、減衰（decay）時間等）は所与の装置に最適に適合するように定められ、消磁回路のコンポーネントはこれらのパラメータが得られるように選択される。しかし従来の装置ではこれらの選択は、装置が接続される主電圧の所与の標準に対してなされる。
【０００４】
結果として、装置が幾つかの主電圧標準に接続されなければならい場合、殊にＡＣ入力電圧が１１０Ｖまたは２３０Ｖである場合に問題が生じてしまう。
【発明の開示】
【発明が解決しようとする課題】
【０００５】
本発明の課題は、上述の問題を解決することである。
【課題を解決するための手段】
【０００６】
前述の課題は、陰極線管と、電圧が供給される消磁回路を有するディスプレイ装置であって、消磁回路は少なくともＰＴＣ抵抗と、少なくとも消磁コイルを有している形式のものにおいて、消磁回路のインピーダンスを前記電圧に基づいて選択する手段を有していることを特徴とするディスプレイ装置によって解決される。
【発明の効果】
【０００７】
従って、消磁回路のインピーダンスが選択されるので、所与の電圧基準を有するメイン部分（mains）にプラグ接続されると作動パラメータはディスプレイ装置に最適に適合する。
【発明を実施するための最良の形態】
【０００８】
実施可能な実施形態では、ディスプレイ装置は前記電圧を測定するための電圧センサ回路と、前記電圧センサ回路によってコントロールされる少なくとも１つのスイッチを有している。
【０００９】
実行可能な解決方法では、前記スイッチは選択的に、消磁回路内の第１のＰＴＣ抵抗または第２のＰＴＣ抵抗と接続する。
【００１０】
前記消磁回路が第１の消磁コイルおよび第２の消磁コイルを含む場合、前記第１の消磁コイルおよび第２の消磁コイルが選択的に直列または並列に接続されるのは特に有利であり、単純である。
【００１１】
本発明は、特に安全に上述の問題を解決する、この種のディスプレイ装置のコントロールプロセスも提案する。提案するプロセスは以下の連続するステップを有する。すなわち；
・電圧をセンシングする；
・前記電圧に基づいてインピーダンスを選択する；
・消磁回路を作動させる。
【００１２】
従って本発明は、陰極線管を有するディスプレイ装置に対する消磁回路も提案する。ここでこの消磁回路には電圧が供給され、少なくともＰＴＣ抵抗と、少なくとも消磁コイルと、消磁回路のインピーダンスを前記電圧に基づいて変化させる手段を含む。
【００１３】
このようにして消磁回路の作用は、供給電圧が変化しても最適化される。
【００１４】
有利な実施形態では：
・消磁回路は、前記電圧を測定するための電圧センサ回路と、前記電圧センサ回路によってコントロールされる少なくとも１つのスイッチを有している；
・前記スイッチは選択的に、回路内で第１のＰＴＣ抵抗または第２のＰＴＣ抵抗と接続される；
・消磁回路は、第１の消磁コイルおよび第２の消磁コイルを含み、前記第１の消磁コイルおよび第２の消磁コイルは、選択的に直列または並列に接続される。
【００１５】
最後に本発明は、電圧が供給される消磁回路によって陰極線管を消磁するプロセスを提案する。ここでこのプロセスは以下の連続するステップを含む。すなわち：
・前記電圧をセンシングする；
・前記消磁回路のインピーダンスを前記電圧に基づいて選択する；
・前記電圧を前記消磁回路に供給する。
【００１６】
本発明の他の特徴は、添付図面を参照した本発明の幾つかの実施例に対する以下の説明に記載されている。
【実施例】
【００１７】
図１には、本発明の第１実施形態の消磁回路が示されている。図１の消磁回路を有しているディスプレイ装置は、プラグＰを介してメイン部分と接続されている。プラグＰは、メインスイッチ１を通してディスプレイ装置の電気回路に接続されている。装置がスイッチオンされると、２つの電気的インプットＥ１、Ｅ２（メインスイッチ１のアウトプット）が１１０Ｖまたは２３０ＶのＡＣ電圧を供給する。
【００１８】
第１の電気的インプットＥ１は、第１のＰＴＣ抵抗Ｒ１の第１のピンおよび第２のＰＴＣ抵抗Ｒ２の第１のピンと接続されている。第１のＰＴＣ抵抗Ｒ１の第２のピンおよび第２のＰＴＣ抵抗Ｒ２の第２のピンはそれぞれ、セレクタースイッチ６の第１のインプットおよびこのセレクタースイッチ６の第２のインプットと接続されている。
【００１９】
第１のＰＴＣ抵抗Ｒ１は、主電圧（電気的インプットＥ１とＥ２の間の電圧）が１１０Ｖである場合に適しており、第２のＰＴＣ抵抗Ｒ２は、主電圧が２３０Ｖである場合に適している。
【００２０】
セレクタースイッチ６のアウトプットは、コントロールスイッチ８のインプットに接続されている。コントロールスイッチ８のアウトプットは、消磁コイルＤＧＣの第１の端子に接続されている。第２の端子は第２の電気的インプットＥ２と接続されている。
【００２１】
コントロールスイッチ８はコントロール回路４、例えばディスプレイ装置のマイクロプロセッサによってコントロールされる。
【００２２】
電圧センサ回路２も電気的インプットＥ１およびＥ２と接続されている。これは、これらの間の電圧差（従って装置に供給される主電圧）を測定し、測定された電圧に依存してセレクタースイッチ６をコントロールするためである。
【００２３】
例えばＲ１はＢＣ９６６８６とされる５ΩのＰＴＣ抵抗であり、Ｒ２はＢＣ９６６８８とされる２６ΩのＰＴＣ抵抗である（２５Ωの抵抗を有する消磁コイルＤＧＣとの使用に対する）。
【００２４】
ここで消磁回路の作動を図２ａ〜図２ｄを参照して説明する。
【００２５】
図２ａで示されているように、メインスイッチ１は時点Ｔ０でディスプレイ装置のユーザによって閉成される。この時点では多数の過渡特性が生じ得る。電圧センサ回路２は正確に作動されない。なぜなら一方ではまだ正確に初期化されておらず、また他方では電気的インプットＥ１およびＥ２間の電圧が安定していないからである。
【００２６】
従って電圧センサ回路２の通常作動は図２ｂに示されているように、ｔ０より約１００ｍｓ後の時点ｔ１になって開始可能である。
【００２７】
時点ｔ１で電圧センサ回路２はコントロール信号を、電気的インプットＥ１とＥ２の間で測定された電圧に依存してセレクタースイッチ６に送出する。測定された電圧が１７０Ｖを下回る場合には、電圧センサ回路２はセレクタースイッチ６をコントロールし、これは第１のＰＴＣ抵抗Ｒ１をコントロールスイッチ８に接続する（セレクタースイッチ６の第１のインプットが選択される）。測定された電圧が１７０Ｖを上回る場合には、電圧センサ回路２はセレクタースイッチ６をコントロールし、これは第２のＰＴＣ抵抗Ｒ２をコントロールスイッチ８に接続する（セレクタースイッチ６の第２のインプットが選択される）。
【００２８】
時点ｔ２では、例えばセレクタースイッチ６の起動時間による短い遅延の後に（例えばこのセレクタースイッチがリレーである場合）、セレクタースイッチ６は図２ｃに示されたように、要求された状態になり、所望のＰＴＣ抵抗（Ｒ１またはＲ２）がコントロールスイッチ８のインプットに実際に接続される。
【００２９】
図２ｄに示されているように時点ｔ３とｔ４の間では、コントロールスイッチ８を閉成することによってコントロール回路４が消磁動作を起動させる。時点ｔ３は時点ｔ２より遅いので、コントロールスイッチ８を介してコントロール回路４によってトリガされた消磁動作の開始から、正しいＰＴＣ抵抗（Ｒ１またはＲ２）が消磁コイルＤＧＣに接続される。
【００３０】
このことは、所定の時間Ｔ（Ｔ＝ｔ３−ｔ０）後にコントロールスイッチ８をトリガすることで実現される。これはコントロール回路４のパラメータとして記憶されており、セレクタースイッチ６が要求された状態（遅延ｔ２−ｔ０）になるまでの予測される最大遅延に基づいて計算される。
【００３１】
消磁動作は、時間（ｔ４−ｔ３）の所定の期間にわたって続く。これは使用されたＰＴＣ抵抗（Ｒ１またはＲ２）によって消磁電流の減衰が生じるのに必要である。
【００３２】
本発明の第２実施形態は図３に示されている。電気的インプットＥ１およびＥ２は、プラグＰおよびメインスイッチ１１を介して、メイン部分から給電される。２つのＰＴＣ抵抗Ｒは電気的インプットＥ１と、コントロールスイッチ１８の第１のピンとの間で並列接続されている。図示の例では、２つの同一のＰＴＣ抵抗Ｒ（Ｍｕｒａｔａ９Ω）が使用されている。２つの並列なＰＴＣ抵抗の代わりに、直列接続された２つのＰＴＣ抵抗または単一のＰＴＣ抵抗も使用可能である。
【００３３】
コントロールスイッチ１８の第２のピンは、第１経路スイッチ１７の第１のインプットに第１の消磁コイルＤＧＣ１を通して接続され、さらに第１経路スイッチ１７の第２のインプットおよびコンデンサーＣの第１のピンにも接続されている。
【００３４】
第１経路スイッチ１７の第１のインプットは、第２経路スイッチ１５の第２のインプットにも接続されている。第２経路スイッチ１５の第１のインプットは左側で接続されていない。
【００３５】
電気的インプットＥ２は第２経路スイッチ１５のアウトプットに接続されており、さらに、第２の消磁コイルＤＧＣ２を通して第１経路スイッチ１７のアウトプットに接続されており、さらに、コンデンサーＣの第２のピンに接続されている。
【００３６】
コンデンサーＣ（０. １μＦ）は、水平走査周波数での消磁コイルＤＧＣ１、ＤＧＣ２のインピーダンスを低減させるための手段である。
【００３７】
有利には第１の消磁コイルＤＧＣ１はトップ消磁コイルであり、第２の消磁コイルは底部消磁コイルである。可能な別形態でＤＧＣ１は底部消磁コイルであり、ＤＧＣ２はトップ消磁コイルである。
【００３８】
電圧センサ１２は電気的インプットＥ１およびＥ２と接続されており、これらの間の電圧を測定して主電圧を定め、それに応じて以下で説明するように第１経路スイッチおよび第２経路スイッチ１５、１７をコントロールする。
【００３９】
コントローラ１４（例えばディスプレイ装置のマイクロプロセッサ）はコントロールスイッチ１８をコントロールし、消磁オペレーションをトリガする。
【００４０】
電圧センサ１２が１８０Ｖより低い主電圧を検出した場合、第１経路スイッチおよび第２経路スイッチ１５、１７がコントロールされ、自身の第２のインプットが自身のアウトプットに接続される。こうして第１の消磁コイルＤＧＣ１は第２経路スイッチ１５を介して電気的インプットＥ２と接続され、第２の消磁コイルＤＧＣ２はコントロールスイッチ１８の第２のピンと接続される。従って第１の消磁コイルＤＧＣ１および第２の消磁コイルＤＧＣ２は並列に接続される。
【００４１】
電圧センサ１２が１８０Ｖより高い電圧を検出した場合、第１経路スイッチおよび第２経路スイッチ１５、１７がコントロールされ、自身の第１のインプットが自身のアウトプットに接続される。こうして第１の消磁コイルＤＧＣ１および第２の消磁コイルＤＧＣ２は、電気的インプットＥ２とコントロールスイッチ１８の第２のピンの間で直列に接続される。
【００４２】
消磁コイルＤＧＣ１およびＤＧＣ２の接続をこのように修正することによって、消磁回路のインピーダンスが修正されて主電圧に最適に適合する、すなわちどのような主電圧でも緩慢な減衰時間を維持する。
【００４３】
消磁動作は所定期間のあいだコントローラ１４にコントロールスイッチ１８を閉成させることによって行われる。この期間は第１の実施形態でのように定められる。この結果、コントローラ１４によって消磁オペレーションがトリガされる前に、適合された接続が消磁コイルＤＧＣ１、ＤＧＣ２間で（第１経路スイッチおよび第２経路スイッチ１５、１７を使用することによって）確立される。
【００４４】
当然ながら本発明は上述の実施形態に制限されるものではない。例えば、１７０Ｖまたは１８０Ｖとは別の閾値電圧も使用可能である。
【図面の簡単な説明】
【００４５】
【図１】本発明の第１実施形態の消磁回路をあらわす図である。
【００４６】
【図２】図１の回路の種々の要素の操作をあらわすタイミングダイヤグラムである。
【００４７】
【図３】本発明の第２実施形態の消磁回路をあらわす図である。
【符号の説明】
【００４８】
１, １１  メインスイッチ
２, １２  電圧センサ回路
４  コントロール回路
６  セレクタースイッチ
８, １８  コントロールスイッチ
１４  コントローラ
１５, １７  経路スイッチ
Ｅ１, Ｅ２  インプット
Ｐ  プラグ
ＤＧＣ  消磁コイル
Ｒ１, Ｒ２, Ｒ  ＰＴＣ抵抗
【図１】
2004343690.tif 000003
【図２】
2004343690.tif 000004
【図３】
2004343690.tif 000005